(57)【要約】      （修正有）【課題】円筒型の曲面タンクの断熱材として合成樹脂断熱板の施工をする場合に、タンクの曲面に追随する柔軟性合成樹脂発泡板を提供する。【解決手段】合成樹脂発泡体からなる板状断熱材１の片面に、フィルム２を加熱融着し一体化したフィルムラミネート断熱パネルを、フィルムをラミネートした面から圧力を加え圧縮をすることにより、柔軟性を持たせ曲面に追従する柔軟性合成樹脂発泡板であって、フィルムは、引張り強度および引張り弾性係数が大きく、曲げ強度に優れ、じん性のあるポリエステルテレフタラート、ポリエステルシートの合成樹脂フィルムとの複層フィルムが好ましい。【選択図】図２
0003231240.tif 000002
【実用新案登録請求の範囲】
【請求項１】
合成樹脂発泡体からなる板状断熱材の片面に、フィルムを加熱融着し一体化したフィルムラミネート断熱パネルを、フィルムをラミネートした面から圧力を加え圧縮することにより柔軟性を持たせ曲面に追従することを特徴とする製品。
【考案の詳細な説明】
【技術分野】
【０００１】本実用新案は合成樹脂発泡板の片面にフィルムを熱融着し一体化した断熱パネルを柔軟加工する製法に関する。
【背景技術】
【０００２】  円筒タンクなどの断熱施工において従来の合成樹脂発泡板は局面に追随する柔軟性がないため、従来技術においては、曲面に合わせるためには板状断熱材を細かくいくつかに裁断して加工成型した複数の成形断熱材を隣接させ、曲面になじませながら固定しなければならなかった。【０００３】  あるいは曲面に切削加工を施した複数の部材を組み合わせて曲面を覆わねばならなかった。【０００４】  その使用態様としては、板状の断熱材をいくつかに裁断成型し巻き付けていく方法では目地と空隙が多数発生し、断熱性能が低下する原因となる。【０００５】  また曲面切削成型品を造るについては原反に多くの原材料のロスが発生する。
【先行技術文献】
【特許文献】
【０００６】
【特許文献１】特開昭５８−０６５８７４
【考案の概要】
【考案が解決しようとする課題】
【０００７】上記した従来の施工法では、複数の成形断熱材の発泡スチロール板の継ぎ目が多数発生しその隙間からの熱ロスが大きくなる。また切断した板材の仮止め固定に手間がかかり、取付作業の妨げとなった。【０００８】  板材の目地が熱橋となりまた水蒸気が浸透し低温タンクでは結露の発生が起きやすく長期間の使用には熱ロスの問題が発生するとともに、結露水による腐食の進行などの問題も発生する。【０００９】従来の施工法では十分に断熱性能を効果的に高めることができなないため、断熱性を高めるためフォームの厚みを増さなければならないという問題もある。【００１０】  また、合成樹脂断熱版の表面は、局部圧縮強度や曲げ強度が小さいので、作業員等がフォームの取り付け作業をする時に陥没や割れを発生させ易く、欠損部が発生したりや凹みによる厚みの減少での断熱欠損により、断熱性の低下をまねくという問題がある。【００１１】  さらに、局部圧縮強度が小さいので、固定する金属バンドも幅広のステンレスベルトなど高価なものを使わねばならなかった。
【課題を解決するための手段】
【００１２】  本考案は、このような従来の構成の材料が有していた問題を解決しようとするものであり、片面にフィルムをラミネートしフィルム面側から断熱パネルを圧縮し曲げ込んで内側のセルを圧縮することにより柔軟性を持たせる。【００１３】  この圧縮時に、ラミネートしたフィルムがフィルム面側の断熱材を拘束し無拘束側の断熱材のセルを圧縮することができる。この圧縮時、フィルムの拘束がなければ合成樹脂断熱板は曲げ強度の限界点で簡単に割れてしまう。【００１４】  ビーズ成型スチロールの断熱板やフェノールフォームあるいはウレタンフォームなどの様に給水性能の高いことが欠点の断熱材においても、片面にフィルムを熱ラミネートで貼付けることにより、弱点である吸水性を改善強化する。【００１５】  本考案は請求高１のとおりに、各種の合成樹脂発泡板に柔軟加工を施すという課題を解決するために、その片面にフィルムを熱ラミネートで張り合わせることにより圧縮強度と曲げ強度を強化し、フィルムによりフィルム面を拘束し非拘束面の側にフォームを三本ロールなどの圧力により湾曲させて非拘束面側のセルをつぶし柔軟性を持たせ局面にフレキシブルに対応する。
【考案の効果】
【００１６】  本考案により、熱ラミネートでフィルムと合成樹脂断熱板と一体化された断熱パネルを、圧縮工程で柔軟加工を施した製品は、円筒タンクのサイズに関わりなく自由にタンクの曲面に柔軟に追随し、施工性が大きく向上する。【００１７】  複数の成型板を張り付ける工法に比較して継ぎ目は非常に少なくなり、熱橋を少なくすることが結露の被害を飛躍的に少なくし断熱性能の向上をもたらす。【００１８】  フィルムとの一体の断熱パネルである為、表面のフィルムが防水性能や透湿抵抗を大きくし、外部からの水や水蒸気の浸透を防ぎ防水、防湿処理も極めて簡単になる。これがさらに断熱性能の維持に貢献する。【００１９】  局面屋根における断熱材打ち込み工法においても、多くの切断加工をした材料を型枠に取り付けて施工しているが、柔軟加工を施した本製品の表面フィルムを除去した製品を型枠に取り付けことにより、簡便に曲面に沿わせて施工し工程の節減を図れる。
【図面の簡単な説明】
【００２０】  図１および図２に示すように、この発明の一実施例の断熱パネルは、合成樹脂断熱板１の片面にフィルム２を熱ラミネートにより貼付たものである。【００２１】
【図１】本発明の断熱パネル斜視図
【図２】本発明の断熱パネルを圧縮する方向と断面図
【考案を実施するための形態】
【００２２】  合成樹脂発泡板の発泡倍率は限定されるものではないが、好ましくは３０〜７０倍の範囲内である。合成樹脂発泡板の板厚は、曲圧縮加工時の圧縮強度の要素に影響を与えるので、使用目的に応じて適宜選択されるが、通常の使用状態では２０〜５０ｍｍ程度、断熱性能を求められるため好ましくは２５〜５０ｍｍの範囲内で設定する場合が多い。
【００２３】  フィルムは、第１にポリエステルテレフタレートであるが，他にポリプロピレン，ポリスチレン，ポリエチレンあるいはポリエステル等の合成樹脂フィルムなどの裏面に熱融着層となる二軸延伸ポリスチレンフィルムや無延伸ポリプロピレンフィルムを張り合わせた２層構造のものが挙げられる。
【００２４】  これら第１及び第２に挙げたフィルムの内でも特に、引張り強度および引張り弾性係数が大きく、曲げ強度に優れじん性のあるポリエステルテレフタレート，ポリエステルシートなどの合成樹脂フィルムとの複層フィルムが好ましい。
【００２５】  また、第１及び第２に挙げたフィルムの厚みは５〜８０μ程度、好ましくは１０〜５０μの範囲であり、表面に使用するポリエステルテレフタレート，ポリエステルなどの合成樹脂フィルムは１０〜５０μフォーム側の無延伸ポリプロピレンフィルムは５〜２５μの範囲である。
【００２６】  フォームとフィルムの張り合わせは熱ロールによる熱ラミネーションによって行うのが、熱ロールの温度は１２０〜２００℃の範囲であり好ましくは１３０〜１６０℃の範囲である。
【００２７】  コンクリートの打設や防水層の仕上げの施工をする際には、上面側の目地に防湿防水テープで目張りをする。
【図１】
0003231240.tif 000003
【図２】
0003231240.tif 000004
【手続補正書】
【提出日】令和2年12月14日(2020.12.14)
【手続補正１】
【補正対象書類名】実用新案登録請求の範囲
【補正対象項目名】全文
【補正方法】変更
【補正の内容】
【実用新案登録請求の範囲】
【請求項１】
合成樹脂発泡体からなる板状断熱材の片面に、フィルムを加熱融着し一体化したフィルムラミネート断熱パネルを、フィルムをラミネートした面から圧力を加え圧縮をすることにより柔軟性を持たせ曲面に追従することを特徴とする柔軟性合成樹脂発泡板。